(57)【要約】      （修正有）【課題】簡単な構造で、額に風を吹き付けることで、汗が目に入ることを回避し、メガネに付いた霧を除去可能なスポーツ用メガネを提供。【解決手段】フレーム１１を含み、フレームの中にはレンズチャンバが左右対称的に、且つ前後に貫通するように設置され、レンズチャンバの中にはレンズ１３が固定的に設置され、フレームの後端にはゴム紐が設置され、レンズチャンバの上側には風吹付け装置１０１が設置され、レンズチャンバのうち中心から離れている側には空気入り装置が設置され、空気入り装置の前端には制御装置１０３が設置され、制御装置によって風吹付け装置と空気入り装置とを手動で調節することができ、風吹付け装置はレンズに付いた霧を除去することができ、また額に付いた汗をそばに吹き、空気入り装置は風吹付け装置に風力を提供する。【選択図】図１
2020181179.tif 000002
【特許請求の範囲】
【請求項１】
正面視で、フレームを含み、前記フレームの中にはレンズチャンバが左右対称的に、且つ前後に貫通するように設置され、前記レンズチャンバの中にはレンズが固定的に設置され、前記フレームの後端にはゴム紐が設置され、前記レンズチャンバの上側には風吹付け装置が設置され、前記レンズチャンバのうち中心から離れている側には空気入り装置が設置され、前記空気入り装置の前端には制御装置が設置され、前記制御装置によって前記風吹付け装置と前記空気入り装置とを手動で調節することができ、前記風吹付け装置は前記レンズに付いた霧を除去することができ、また額に付いた汗をそばに吹き、汗が目の中に流れ込むことを避け、前記空気入り装置は運動する時に生じた向かい風を利用して汗の流れを導き、また前記風吹付け装置に風力を提供し、前記風吹付け装置は前記レンズチャンバの上側に設置されたバルブチャンバを含み、前記バルブチャンバの中には回転ロッドが回転できるように設置され、前記回転ロッドの外側端面には三つのバルブプレートが排列するように、且つ固定的に設置され、三つのうちの一つの前記バルブプレートには通風チャンバが貫通するように設置され、他の二つの前記バルブプレートの相対した片側端面には前記回転ロッドから離れいている方向に開口した風ガイドチャンバが設置され、前記バルブチャンバの上側のうち前方に位置している内壁には上方に開口した吹出口が連通するように設置され、前記バルブチャンバの下側には前記レンズチャンバに連通している霧除去通路が前後対称的に、且つ連通するように設置され、前記バルブチャンバの下側の中間部には通口が連通するように設置され、前記通口の下側には管通路が連通するように設置され、前記管通路の左右両端が前記空気入り装置に連通しており、
前記回転ロッドを回転させることによって、各前記バルブプレートの位置を調整し、風の流れ方向を変えられることを特徴とするスポーツ用メガネ。
【請求項２】
前記空気入り装置は前記フレームの中に左右対称的に設置された止め板チャンバを含み、前記止め板チャンバの中には止め板がスライドできるように設置され、前記止め板の中には通風口が左右に貫通するように設置され、前記止め板チャンバのうち中心から離れている側には前記通風口と連通することができるエアインレットが設置され、前記止め板チャンバのうち中心から近接している側には風集めチャンバが連通するように設置され、前記管通路が前記風集めチャンバの後壁に連通しており、前記風集めチャンバの後壁且つ前記管通路のうち中心から離れている側に位置しているところには前記止め板チャンバに連通している伸縮チャンバが連通するように設置され、前記伸縮チャンバの中には前記止め板に固定的に連結された伸縮板がスライドできるように設置され、前記伸縮板の前端には加熱板が固定的に設置され、前記加熱板は発熱することができ、前記止め板チャンバの後側には揺れロッドチャンバが連通するように設置され、前記止め板の後端が前記揺れロッドチャンバの中に伸びており、また前記止め板の後端には対称中心に向いて開口したスライド溝が設置され、前記揺れロッドチャンバの中には揺れロッドが回転できるように設置され、前記揺れロッドのうち軸心から離れている端には前記スライド溝の内壁にスライドできるように連結されたスライドロッドが固定的に設置され、
前記止め板を後方へ移動させると汗を吹き飛ばす作動モードが始動され、前記止め板を前方へ移動させると霧を除去する作動モードが始動されることを特徴とする請求項１に記載のスポーツ用メガネ。
【請求項３】
前記制御装置は前記バルブチャンバの左右両側に対称的に設置された伝動チャンバを含み、前記伝動チャンバの中には主動プーリが回転できるように設置され、前記主動プーリの相対した一端には回転軸が固定的に連結され、左右両側の前記回転軸の互いに近接している一端が前記回転ロッドに固定的に連結され、前記伝動チャンバの下側にはプーリチャンバが連通するように設置され、前記プーリチャンバの中には従動プーリが回転できるように設置され、前記従動プーリと前記主動プーリとの間には伝動ベルトが巻き付くように設置され、前記従動プーリのうち中心から離れている一端には伝動軸が固定的に連結され、前記伝動軸の一端が前記揺れロッドの軸心のところに固定的に連結され、
前記制御装置によって前記回転ロッドと前記揺れロッドとを同期に制御することができることを特徴とする請求項１に記載のスポーツ用メガネ。
【請求項４】
右側の前記主動プーリの右端には従動傘歯車が固定的に連結され、前記従動傘歯車の後端には前記従動傘歯車自身と噛み合っている主動傘歯車が設置され、前記主動傘歯車の後端には平歯車が固定的に設置され、前記平歯車の上側には右側の前記伝動チャンバの上壁にスライドできるように連結されたラックが噛み合うように設置され、右側の前記伝動チャンバの上側には上方に開口したスライドガイドチャンバが連通するように設置され、前記スライドガイドチャンバの中には前記ラックの上端に固定的に連結されたスライドガイドブロックがスライドできるように設置され、前記スライドガイドブロックの上端が外部空間に伸びており、また前記スライドガイドブロックの上端には制御板が固定的に連結され、
前記制御板を左方へ移動させると汗を吹き飛ばす作動モードが始動され、前記制御板を右方へ移動させると霧を除去する作動モードが始動されることを特徴とする請求項３にスポーツ用メガネ。
【発明の詳細な説明】
【技術分野】
【０００１】
本発明はメガネ技術分野に関わり、具体的にはスポーツ用メガネである。
【背景技術】
【０００２】
スポーツ用メガネは運動する時に安定的に耳に付けられると同時に、目を保護できる作用を果たしており、しかし、運動中、メガネに霧が出ること又は汗が目に流れ込むことにより視線に影響することを避けられなく、従って、スポーツ用メガネが十分に必要となり、本発明は運動する時に生じた向かい風を利用して額の汗を吹き飛ばし、またメガネを加熱してそれに付いた霧を除去することができる。
【先行技術文献】
【特許文献】
【０００３】
【特許文献１】中国特許出願公開第１０６１２５３４２号明細書
【発明の概要】
【発明が解決しようとする課題】
【０００４】
本発明はスポーツ用メガネを提供し、既存技術にある上記欠点を解消することを目的とする。
【課題を解決するための手段】
【０００５】
本発明の実施例のスポーツ用メガネは、フレームを含み、前記フレームの中にはレンズチャンバが左右対称的に、且つ前後に貫通するように設置され、前記レンズチャンバの中にはレンズが固定的に設置され、前記フレームの後端にはゴム紐が設置され、前記レンズチャンバの上側には風吹付け装置が設置され、前記レンズチャンバのうち中心から離れている側には空気入り装置が設置され、前記空気入り装置の前端には制御装置が設置され、前記制御装置によって前記風吹付け装置と前記空気入り装置とを手動で調節することができ、前記風吹付け装置は前記レンズに付いた霧を除去することができ、また額に付いた汗をそばに吹き、汗が目の中に流れ込むことを避け、前記空気入り装置は運動する時に生じた向かい風を利用して汗の流れを導き、また前記風吹付け装置に風力を提供し、前記風吹付け装置は前記レンズチャンバの上側に設置されたバルブチャンバを含み、前記バルブチャンバの中には回転ロッドが回転できるように設置され、前記回転ロッドの外側端面には三つのバルブプレートが排列するように、且つ固定的に設置され、三つのうちの一つの前記バルブプレートには通風チャンバが貫通するように設置され、他の二つの前記バルブプレートの相対した片側端面には前記回転ロッドから離れいている方向に開口した風ガイドチャンバが設置され、前記バルブチャンバの上側のうち前方に位置している内壁には上方に開口した吹出口が連通するように設置され、前記バルブチャンバの下側には前記レンズチャンバに連通している霧除去通路が前後対称的に、且つ連通するように設置され、前記バルブチャンバの下側の中間部には通口が連通するように設置され、前記通口の下側には管通路が連通するように設置され、前記管通路の左右両端が前記空気入り装置に連通しており、
前記回転ロッドを回転させることによって、各前記バルブプレートの位置を調整し、風の流れ方向を変えられる。
【０００６】
さらなる技術プランには、前記空気入り装置は前記フレームの中に左右対称的に設置された止め板チャンバを含み、前記止め板チャンバの中には止め板がスライドできるように設置され、前記止め板の中には通風口が左右に貫通するように設置され、前記止め板チャンバのうち中心から離れている側には前記通風口と連通することができるエアインレットが設置され、前記止め板チャンバのうち中心から近接している側には風集めチャンバが連通するように設置され、前記管通路が前記風集めチャンバの後壁に連通しており、前記風集めチャンバの後壁且つ前記管通路のうち中心から離れている側に位置しているところには前記止め板チャンバに連通している伸縮チャンバが連通するように設置され、前記伸縮チャンバの中には前記止め板に固定的に連結された伸縮板がスライドできるように設置され、前記伸縮板の前端には加熱板が固定的に設置され、前記加熱板は発熱することができ、前記止め板チャンバの後側には揺れロッドチャンバが連通するように設置され、前記止め板の後端が前記揺れロッドチャンバの中に伸びており、また前記止め板の後端には対称中心に向いて開口したスライド溝が設置され、前記揺れロッドチャンバの中には揺れロッドが回転できるように設置され、前記揺れロッドのうち軸心から離れている端には前記スライド溝の内壁にスライドできるように連結されたスライドロッドが固定的に設置され、
前記止め板を後方へ移動させると汗を吹き飛ばす作動モードが始動され、前記止め板を前方へ移動させると霧を除去する作動モードが始動される。
【０００７】
さらなる技術プランには、前記制御装置は前記バルブチャンバの左右両側に対称的に設置された伝動チャンバを含み、前記伝動チャンバの中には主動プーリが回転できるように設置され、前記主動プーリの相対した一端には回転軸が固定的に連結され、左右両側の前記回転軸の互いに近接している一端が前記回転ロッドに固定的に連結され、前記伝動チャンバの下側にはプーリチャンバが連通するように設置され、前記プーリチャンバの中には従動プーリが回転できるように設置され、前記従動プーリと前記主動プーリとの間には伝動ベルトが巻き付くように設置され、前記従動プーリのうち中心から離れている一端には伝動軸が固定的に連結され、前記伝動軸の一端が前記揺れロッドの軸心のところに固定的に連結され、
前記制御装置によって前記回転ロッドと前記揺れロッドとを同期に制御することができる。
【０００８】
さらなる技術プランには、右側の前記主動プーリの右端には従動傘歯車が固定的に連結され、前記従動傘歯車の後端には前記従動傘歯車自身と噛み合っている主動傘歯車が設置され、前記主動傘歯車の後端には平歯車が固定的に設置され、前記平歯車の上側には右側の前記伝動チャンバの上壁にスライドできるように連結されたラックが噛み合うように設置され、右側の前記伝動チャンバの上側には上方に開口したスライドガイドチャンバが連通するように設置され、前記スライドガイドチャンバの中には前記ラックの上端に固定的に連結されたスライドガイドブロックがスライドできるように設置され、前記スライドガイドブロックの上端が外部空間に伸びており、また前記スライドガイドブロックの上端には制御板が固定的に連結され、
前記制御板を左方へ移動させると汗を吹き飛ばす作動モードが始動され、前記制御板を右方へ移動させると霧を除去する作動モードが始動される。
【発明の効果】
【０００９】
本発明の有益な効果は：本発明は構成が簡単で、操作が便利であり、本発明によってスポーツをして汗が出た時に額に風を吹き付け、汗が目の中に流れ込んで運動に影響することを回避でき、それと同時に寒い天気にメガネに付いた霧を除去してクリアなビジョンを保証できる。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のスポーツ用メガネの内部全体の構成概略図
【図２】図２は図１の中の「Ａ―Ａ」方向の構成概略図
【図３】図３は図１の中の「Ｂ―Ｂ」方向の構成概略図
【図４】図４は図３の汗を吹き飛ばす作動モードの作動状態下の構成概略図
【図５】図５は図３の霧を除去する作動モードの作動状態下の構成概略図
【図６】図６は図１の中の「Ｃ」の拡大概略図
【図７】図７は図２の中の「Ｄ」の拡大概略図
【発明を実施するための形態】
【００１２】
図１〜７を参照し、本発明の実施例のスポーツ用メガネは、フレーム１１を含み、前記フレーム１１の中にはレンズチャンバ１２が左右対称的に、且つ前後に貫通するように設置され、前記レンズチャンバ１２の中にはレンズ１３が固定的に設置され、前記フレーム１１の後端にはゴム紐１４が設置され、前記レンズチャンバ１２の上側には風吹付け装置１０１が設置され、前記レンズチャンバ１２のうち中心から離れている側には空気入り装置１０２が設置され、前記空気入り装置１０２の前端には制御装置１０３が設置され、前記制御装置１０３によって前記風吹付け装置１０１と前記空気入り装置１０２とを手動で調節することができ、前記風吹付け装置１０１は前記レンズ１３に付いた霧を除去することができ、また額に付いた汗をそばに吹き、汗が目の中に流れ込むことを避け、前記空気入り装置１０２は運動する時に生じた向かい風を利用して汗の流れを導き、また前記風吹付け装置１０１に風力を提供し、前記風吹付け装置１０１は前記レンズチャンバ１２の上側に設置されたバルブチャンバ１５を含み、前記バルブチャンバ１５の中には回転ロッド１６が回転できるように設置され、前記回転ロッド１６の外側端面には三つのバルブプレート１７が排列するように、且つ固定的に設置され、三つのうちの一つの前記バルブプレート１７には通風チャンバ１８が貫通するように設置され、他の二つの前記バルブプレート１７の相対した片側端面には前記回転ロッド１６から離れいている方向に開口した風ガイドチャンバ１９が設置され、前記バルブチャンバ１５の上側のうち前方に位置している内壁には上方に開口した吹出口２０が連通するように設置され、前記バルブチャンバ１５の下側には前記レンズチャンバ１２に連通している霧除去通路２１が前後対称的に、且つ連通するように設置され、前記バルブチャンバ１５の下側の中間部には通口２２が連通するように設置され、前記通口２２の下側には管通路２３が連通するように設置され、前記管通路２３の左右両端が前記空気入り装置１０２に連通しており、
前記回転ロッド１６を回転させることによって、各前記バルブプレート１７の位置を調整し、風の流れ方向を変えられる。
【００１３】
有益なように、前記空気入り装置１０２は前記フレーム１１の中に左右対称的に設置された止め板チャンバ２４を含み、前記止め板チャンバ２４の中には止め板２５がスライドできるように設置され、前記止め板２５の中には通風口２６が左右に貫通するように設置され、前記止め板チャンバ２４のうち中心から離れている側には前記通風口２６と連通することができるエアインレット２７が設置され、前記止め板チャンバ２４のうち中心から近接している側には風集めチャンバ２８が連通するように設置され、前記管通路２３が前記風集めチャンバ２８の後壁に連通しており、前記風集めチャンバ２８の後壁且つ前記管通路２３のうち中心から離れている側に位置しているところには前記止め板チャンバ２４に連通している伸縮チャンバ２９が連通するように設置され、前記伸縮チャンバ２９の中には前記止め板２５に固定的に連結された伸縮板３０がスライドできるように設置され、前記伸縮板の前端には加熱板３１が固定的に設置され、前記加熱板３１は発熱することができ、前記止め板チャンバ２４の後側には揺れロッドチャンバ３２が連通するように設置され、前記止め板２５の後端が前記揺れロッドチャンバ３２の中に伸びており、また前記止め板２５の後端には対称中心に向いて開口したスライド溝３３が設置され、前記揺れロッドチャンバ３２の中には揺れロッド３４が回転できるように設置され、前記揺れロッド３４のうち軸心から離れている端には前記スライド溝３３の内壁にスライドできるように連結されたスライドロッド３５が固定的に設置され、
前記止め板２５を後方へ移動させると汗を吹き飛ばす作動モードが始動され、前記止め板２５を前方へ移動させると霧を除去する作動モードが始動される。
【００１４】
有益なように、前記制御装置１０３は前記バルブチャンバ１５の左右両側に対称的に設置された伝動チャンバ３６を含み、前記伝動チャンバ３６の中には主動プーリ３７が回転できるように設置され、前記主動プーリ３７の相対した一端には回転軸３８が固定的に連結され、左右両側の前記回転軸３８の互いに近接している一端が前記回転ロッド１６に固定的に連結され、前記伝動チャンバ３６の下側にはプーリチャンバ３９が連通するように設置され、前記プーリチャンバ３９の中には従動プーリ４０が回転できるように設置され、前記従動プーリ４０と前記主動プーリ３７との間には伝動ベルト４１が巻き付くように設置され、前記従動プーリ４０のうち中心から離れている一端には伝動軸４２が固定的に連結され、前記伝動軸４２の一端が前記揺れロッド３４の軸心のところに固定的に連結され、
前記制御装置１０３によって前記回転ロッド１６と前記揺れロッド３４とを同期に制御することができる。
【００１５】
有益なように、右側の前記主動プーリ３７の右端には従動傘歯車４３が固定的に連結され、前記従動傘歯車４３の後端には前記従動傘歯車４３自身と噛み合っている主動傘歯車４４が設置され、前記主動傘歯車４４の後端には平歯車４５が固定的に設置され、前記平歯車４５の上側には右側の前記伝動チャンバ３６の上壁にスライドできるように連結されたラック４６が噛み合うように設置され、右側の前記伝動チャンバ３６の上側には上方に開口したスライドガイドチャンバ４７が連通するように設置され、前記スライドガイドチャンバ４７の中には前記ラック４６の上端に固定的に連結されたスライドガイドブロック４８がスライドできるように設置され、前記スライドガイドブロック４８の上端が外部空間に伸びており、また前記スライドガイドブロック４８の上端には制御板４９が固定的に連結され、
前記制御板４９を左方へ移動させると汗を吹き飛ばす作動モードが始動され、前記制御板４９を右方へ移動させると霧を除去する作動モードが始動される。
【００１６】
初期状態にある時、止め板２５がエアインレット２７と風集めチャンバ２８とを切り離しており、バルブプレート１７が霧除去通路２１と吹出口２０とをそれぞれ通口２２から切り離しており、制御板４９が中間に位置している。
【００１７】
汗を吹き飛ばす時、制御板４９を左方へ移動させ、またスライドガイドブロック４８によってラック４６を左方へ移動連動させ、歯状の噛み合いによって平歯車４５と主動傘歯車４４とを回転連動させ、歯車の噛み合いによって従動傘歯車４３を回転連動させ、また右側の主動プーリ３７を回転連動させ、右側の回転軸３８によって回転ロッド１６を連動させて時計回り方向へ百二十度回転させ、また左側の回転軸３８によって左側の主動プーリ３７を回転連動させ、この時に通風チャンバ１８を設置したバルブプレート１７が前側に反転し、通風チャンバ１８が吹出口２０と通口２２とを連通し、主動プーリ３７が伝動ベルト４１によって従動プーリ４０を回転連動させ、伝動軸４２によって揺れロッド３４を九十度反転連動させ、スライドロッド３５によって止め板２５を連動させて前方へ通風口２６とエアインレット２７との開口を突き合わせるまで移動させ、スポーツをする時、風がエアインレット２７から流れ込み、通風口２６によって風集めチャンバ２８の中に流れ込み、管通路２３と通口２２とによってバルブチャンバ１５の中に流れ込み、通風チャンバ１８と吹出口２０とによって吹き出されて額の汗を吹き飛ばし、霧を除去する時、制御板４９を右方へ移動させ、この時に回転ロッド１６が百二十度反転し、風ガイドチャンバ１９が下方に向き、且つ霧除去通路２１と連通し、この時に揺れロッド３４が九十度反転し、且つ止め板２５を前方へ移動連動させ、伸縮板３０が加熱板３１を連動させて前方へ風集めチャンバ２８の中で空気を一定の程度に加熱するまで移動させ、この時に熱い空気がバルブチャンバ１５の中に流れ込み、霧除去通路２１によってレンズ１３の前後両側を加熱してそれに付いた霧を除去する。
【００１８】
本発明の有益な効果は：本発明は構成が簡単で、操作が便利であり、本発明によってスポーツをして汗が出た時に額に風を吹き付け、汗が目の中に流れ込んで運動に影響することを回避でき、それと同時に寒い天気にメガネに付いた霧を除去してクリアなビジョンを保証できる。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020181179.tif 000003
【図２】
2020181179.tif 000004
【図３】
2020181179.tif 000005
【図４】
2020181179.tif 000006
【図５】
2020181179.tif 000007
【図６】
2020181179.tif 000008
【図７】
2020181179.tif 000009
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
正面視で、フレームを含み、前記フレームの中にはレンズチャンバが左右対称的に、且つ前後に貫通するように設置され、前記レンズチャンバの中にはレンズが固定的に設置され、前記フレームの前端にはゴム紐が設置され、前記レンズチャンバの上側には風吹付け装置が設置され、前記レンズチャンバのうち中心から離れている側には空気入り装置が設置され、前記空気入り装置の前端には制御装置が設置され、前記制御装置によって前記風吹付け装置と前記空気入り装置とを手動で調節することができ、前記風吹付け装置は前記レンズに付いた霧を除去することができ、また額に付いた汗をそばに吹き、汗が目の中に流れ込むことを避け、前記空気入り装置は運動する時に生じた向かい風を利用して汗の流れを導き、また前記風吹付け装置に風力を提供し、前記風吹付け装置は前記レンズチャンバの上側に設置されたバルブチャンバを含み、前記バルブチャンバの中には回転ロッドが回転できるように設置され、前記回転ロッドの外側端面には三つのバルブプレートが排列するように、且つ固定的に設置され、三つのうちの一つの前記バルブプレートには通風チャンバが貫通するように設置され、他の二つの前記バルブプレートの相対した片側端面には前記回転ロッドから離れている方向に開口した風ガイドチャンバが設置され、前記バルブチャンバの上側のうち前方に位置している内壁には上方に開口した吹出口が連通するように設置され、前記バルブチャンバの下側には前記レンズチャンバに連通している霧除去通路が前後対称的に、且つ連通するように設置され、前記バルブチャンバの下側の中間部には通口が連通するように設置され、前記通口の下側には管通路が連通するように設置され、前記管通路の左右両端が前記空気入り装置に連通しており、 
前記回転ロッドを回転させることによって、各前記バルブプレートの位置を調整し、風の流れ方向を変えられることを特徴とするスポーツ用メガネ。 
【請求項２】
前記空気入り装置は前記フレームの中に左右対称的に設置された止め板チャンバを含み、前記止め板チャンバの中には止め板がスライドできるように設置され、前記止め板の中には通風口が左右に貫通するように設置され、前記止め板チャンバのうちメガネの中心から離れている側には前記通風口と連通することができるエアインレットが設置され、前記止め板チャンバのうち中心から近接している側には風集めチャンバが連通するように設置され、前記管通路が前記風集めチャンバの後壁に連通しており、前記風集めチャンバの後壁且つ前記管通路のうちメガネの中心から離れている側に位置しているところには前記止め板チャンバに連通している伸縮チャンバが連通するように設置され、前記伸縮チャンバの中には前記止め板に固定的に連結された伸縮板がスライドできるように設置され、前記伸縮板の前端には加熱板が固定的に設置され、前記加熱板は発熱することができ、前記止め板チャンバの後側には揺れロッドチャンバが連通するように設置され、前記止め板の後端が前記揺れロッドチャンバの中に伸びており、また前記止め板の後端には対称中心に向いて開口したスライド溝が設置され、前記揺れロッドチャンバの中には揺れロッドが回転できるように設置され、前記揺れロッドのうち軸心から離れている端には前記スライド溝の内壁にスライドできるように連結されたスライドロッドが固定的に設置され、 
前記止め板を後方へ移動させると汗を吹き飛ばす作動モードが始動され、前記止め板を前方へ移動させると霧を除去する作動モードが始動されることを特徴とする請求項１に記載のスポーツ用メガネ。 
【請求項３】
前記制御装置は前記バルブチャンバの左右両側に対称的に設置された伝動チャンバを含み、前記伝動チャンバの中には主動プーリが回転できるように設置され、前記主動プーリの相対した一端には回転軸が固定的に連結され、左右両側の前記回転軸の互いに近接している一端が前記回転ロッドに固定的に連結され、前記伝動チャンバの下側にはプーリチャンバが連通するように設置され、前記プーリチャンバの中には従動プーリが回転できるように設置され、前記従動プーリと前記主動プーリとの間には伝動ベルトが巻き付くように設置され、前記従動プーリのうちメガネの中心から離れている一端には伝動軸が固定的に連結され、前記伝動軸の一端が前記揺れロッドの軸心のところに固定的に連結され、 
前記制御装置によって前記回転ロッドと前記揺れロッドとを同期に制御することができることを特徴とする請求項２に記載のスポーツ用メガネ。 
【請求項４】
右側の前記主動プーリの右端には従動傘歯車が固定的に連結され、前記従動傘歯車の後端には前記従動傘歯車自身と噛み合っている主動傘歯車が設置され、前記主動傘歯車の後端には平歯車が固定的に設置され、前記平歯車の上側には右側の前記伝動チャンバの上壁にスライドできるように連結されたラックが噛み合うように設置され、右側の前記伝動チャンバの上側には上方に開口したスライドガイドチャンバが連通するように設置され、前記スライドガイドチャンバの中には前記ラックの上端に固定的に連結されたスライドガイドブロックがスライドできるように設置され、前記スライドガイドブロックの上端が外部空間に伸びており、また前記スライドガイドブロックの上端には制御板が固定的に連結され、
前記制御板を左方へ移動させると汗を吹き飛ばす作動モードが始動され、前記制御板を右方へ移動させると霧を除去する作動モードが始動されることを特徴とする請求項３にスポーツ用メガネ。
【手続補正２】
【補正対象書類名】明細書
【補正対象項目名】全文
【補正方法】変更
【補正の内容】
【発明の詳細な説明】
【技術分野】
【０００１】
本発明はメガネ技術分野に関わり、具体的にはスポーツ用メガネである。 
【背景技術】
【０００２】
スポーツ用メガネは運動する時に安定的に耳に付けられると同時に、目を保護できる作用を果たしており、しかし、運動中、メガネに霧が出ること又は汗が目に流れ込むことにより視線に影響することを避けられなく、従って、スポーツ用メガネが十分に必要となり、本発明は運動する時に生じた向かい風を利用して額の汗を吹き飛ばし、またメガネを加熱してそれに付いた霧を除去することができる。 
【先行技術文献】
【特許文献】
【０００３】
【特許文献１】中国特許出願公開第１０６１２５３４２号明細書
【発明の概要】
【発明が解決しようとする課題】
【０００４】
本発明はスポーツ用メガネを提供し、既存技術にある上記欠点を解消することを目的とする。
【課題を解決するための手段】
【０００５】
本発明の実施例のスポーツ用メガネは、フレームを含み、前記フレームの中にはレンズチャンバが左右対称的に、且つ前後に貫通するように設置され、前記レンズチャンバの中にはレンズが固定的に設置され、前記フレームの前端にはゴム紐が設置され、前記レンズチャンバの上側には風吹付け装置が設置され、前記レンズチャンバのうち中心から離れている側には空気入り装置が設置され、前記空気入り装置の前端には制御装置が設置され、前記制御装置によって前記風吹付け装置と前記空気入り装置とを手動で調節することができ、前記風吹付け装置は前記レンズに付いた霧を除去することができ、また額に付いた汗をそばに吹き、汗が目の中に流れ込むことを避け、前記空気入り装置は運動する時に生じた向かい風を利用して汗の流れを導き、また前記風吹付け装置に風力を提供し、前記風吹付け装置は前記レンズチャンバの上側に設置されたバルブチャンバを含み、前記バルブチャンバの中には回転ロッドが回転できるように設置され、前記回転ロッドの外側端面には三つのバルブプレートが排列するように、且つ固定的に設置され、三つのうちの一つの前記バルブプレートには通風チャンバが貫通するように設置され、他の二つの前記バルブプレートの相対した片側端面には前記回転ロッドから離れている方向に開口した風ガイドチャンバが設置され、前記バルブチャンバの上側のうち前方に位置している内壁には上方に開口した吹出口が連通するように設置され、前記バルブチャンバの下側には前記レンズチャンバに連通している霧除去通路が前後対称的に、且つ連通するように設置され、前記バルブチャンバの下側の中間部には通口が連通するように設置され、前記通口の下側には管通路が連通するように設置され、前記管通路の左右両端が前記空気入り装置に連通しており、
前記回転ロッドを回転させることによって、各前記バルブプレートの位置を調整し、風の流れ方向を変えられる。 
【０００６】
さらなる技術プランには、前記空気入り装置は前記フレームの中に左右対称的に設置された止め板チャンバを含み、前記止め板チャンバの中には止め板がスライドできるように設置され、前記止め板の中には通風口が左右に貫通するように設置され、前記止め板チャンバのうちメガネの中心から離れている側には前記通風口と連通することができるエアインレットが設置され、前記止め板チャンバのうち中心から近接している側には風集めチャンバが連通するように設置され、前記管通路が前記風集めチャンバの後壁に連通しており、前記風集めチャンバの後壁且つ前記管通路のうちメガネの中心から離れている側に位置しているところには前記止め板チャンバに連通している伸縮チャンバが連通するように設置され、前記伸縮チャンバの中には前記止め板に固定的に連結された伸縮板がスライドできるように設置され、前記伸縮板の前端には加熱板が固定的に設置され、前記加熱板は発熱することができ、前記止め板チャンバの後側には揺れロッドチャンバが連通するように設置され、前記止め板の後端が前記揺れロッドチャンバの中に伸びており、また前記止め板の後端には対称中心に向いて開口したスライド溝が設置され、前記揺れロッドチャンバの中には揺れロッドが回転できるように設置され、前記揺れロッドのうち軸心から離れている端には前記スライド溝の内壁にスライドできるように連結されたスライドロッドが固定的に設置され、 
前記止め板を後方へ移動させると汗を吹き飛ばす作動モードが始動され、前記止め板を前方へ移動させると霧を除去する作動モードが始動される。 
【０００７】
さらなる技術プランには、前記制御装置は前記バルブチャンバの左右両側に対称的に設置された伝動チャンバを含み、前記伝動チャンバの中には主動プーリが回転できるように設置され、前記主動プーリの相対した一端には回転軸が固定的に連結され、左右両側の前記回転軸の互いに近接している一端が前記回転ロッドに固定的に連結され、前記伝動チャンバの下側にはプーリチャンバが連通するように設置され、前記プーリチャンバの中には従動プーリが回転できるように設置され、前記従動プーリと前記主動プーリとの間には伝動ベルトが巻き付くように設置され、前記従動プーリのうちメガネの中心から離れている一端には伝動軸が固定的に連結され、前記伝動軸の一端が前記揺れロッドの軸心のところに固定的に連結され、 
前記制御装置によって前記回転ロッドと前記揺れロッドとを同期に制御することができる。
【０００８】
さらなる技術プランには、右側の前記主動プーリの右端には従動傘歯車が固定的に連結され、前記従動傘歯車の後端には前記従動傘歯車自身と噛み合っている主動傘歯車が設置され、前記主動傘歯車の後端には平歯車が固定的に設置され、前記平歯車の上側には右側の前記伝動チャンバの上壁にスライドできるように連結されたラックが噛み合うように設置され、右側の前記伝動チャンバの上側には上方に開口したスライドガイドチャンバが連通するように設置され、前記スライドガイドチャンバの中には前記ラックの上端に固定的に連結されたスライドガイドブロックがスライドできるように設置され、前記スライドガイドブロックの上端が外部空間に伸びており、また前記スライドガイドブロックの上端には制御板が固定的に連結され、 
前記制御板を左方へ移動させると汗を吹き飛ばす作動モードが始動され、前記制御板を右方へ移動させると霧を除去する作動モードが始動される。 
【発明の効果】
【０００９】
本発明の有益な効果は：本発明は構成が簡単で、操作が便利であり、本発明によってスポーツをして汗が出た時に額に風を吹き付け、汗が目の中に流れ込んで運動に影響することを回避でき、それと同時に寒い天気にメガネに付いた霧を除去してクリアなビジョンを保証できる。 
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１１】
【図１】図１は本発明のスポーツ用メガネの内部全体の構成概略図
【図２】図２は図１の中の「Ａ―Ａ」方向の構成概略図
【図３】図３は図１の中の「Ｂ―Ｂ」方向の構成概略図
【図４】図４は図３の汗を吹き飛ばす作動モードの作動状態下の構成概略図
【図５】図５は図３の霧を除去する作動モードの作動状態下の構成概略図
【図６】図６は図１の中の「Ｃ」の拡大概略図
【図７】図７は図２の中の「Ｄ」の拡大概略図
【発明を実施するための形態】
【００１２】
図１〜７を参照し、本発明の実施例のスポーツ用メガネは、フレーム１１を含み、前記フレーム１１の中にはレンズチャンバ１２が左右対称的に、且つ前後に貫通するように設置され、前記レンズチャンバ１２の中にはレンズ１３が固定的に設置され、前記フレーム１１の前端にはゴム紐１４が設置され、前記レンズチャンバ１２の上側には風吹付け装置１０１が設置され、前記レンズチャンバ１２のうち中心から離れている側には空気入り装置１０２が設置され、前記空気入り装置１０２の前端には制御装置１０３が設置され、前記制御装置１０３によって前記風吹付け装置１０１と前記空気入り装置１０２とを手動で調節することができ、前記風吹付け装置１０１は前記レンズ１３に付いた霧を除去することができ、また額に付いた汗をそばに吹き、汗が目の中に流れ込むことを避け、前記空気入り装置１０２は運動する時に生じた向かい風を利用して汗の流れを導き、また前記風吹付け装置１０１に風力を提供し、前記風吹付け装置１０１は前記レンズチャンバ１２の上側に設置されたバルブチャンバ１５を含み、前記バルブチャンバ１５の中には回転ロッド１６が回転できるように設置され、前記回転ロッド１６の外側端面には三つのバルブプレート１７が排列するように、且つ固定的に設置され、三つのうちの一つの前記バルブプレート１７には通風チャンバ１８が貫通するように設置され、他の二つの前記バルブプレート１７の相対した片側端面には前記回転ロッド１６から離れている方向に開口した風ガイドチャンバ１９が設置され、前記バルブチャンバ１５の上側のうち前方に位置している内壁には上方に開口した吹出口２０が連通するように設置され、前記バルブチャンバ１５の下側には前記レンズチャンバ１２に連通している霧除去通路２１が前後対称的に、且つ連通するように設置され、前記バルブチャンバ１５の下側の中間部には通口２２が連通するように設置され、前記通口２２の下側には管通路２３が連通するように設置され、前記管通路２３の左右両端が前記空気入り装置１０２に連通しており、 
前記回転ロッド１６を回転させることによって、各前記バルブプレート１７の位置を調整し、風の流れ方向を変えられる。 
【００１３】
有益なように、前記空気入り装置１０２は前記フレーム１１の中に左右対称的に設置された止め板チャンバ２４を含み、前記止め板チャンバ２４の中には止め板２５がスライドできるように設置され、前記止め板２５の中には通風口２６が左右に貫通するように設置され、前記止め板チャンバ２４のうちメガネの中心から離れている側には前記通風口２６と連通することができるエアインレット２７が設置され、前記止め板チャンバ２４のうち中心から近接している側には風集めチャンバ２８が連通するように設置され、前記管通路２３が前記風集めチャンバ２８の後壁に連通しており、前記風集めチャンバ２８の後壁且つ前記管通路２３のうちメガネの中心から離れている側に位置しているところには前記止め板チャンバ２４に連通している伸縮チャンバ２９が連通するように設置され、前記伸縮チャンバ２９の中には前記止め板２５に固定的に連結された伸縮板３０がスライドできるように設置され、前記伸縮板の前端には加熱板３１が固定的に設置され、前記加熱板３１は発熱することができ、前記止め板チャンバ２４の後側には揺れロッドチャンバ３２が連通するように設置され、前記止め板２５の後端が前記揺れロッドチャンバ３２の中に伸びており、また前記止め板２５の後端には対称中心に向いて開口したスライド溝３３が設置され、前記揺れロッドチャンバ３２の中には揺れロッド３４が回転できるように設置され、前記揺れロッド３４のうち軸心から離れている端には前記スライド溝３３の内壁にスライドできるように連結されたスライドロッド３５が固定的に設置され、 
前記止め板２５を後方へ移動させると汗を吹き飛ばす作動モードが始動され、前記止め板２５を前方へ移動させると霧を除去する作動モードが始動される。 
【００１４】
有益なように、前記制御装置１０３は前記バルブチャンバ１５の左右両側に対称的に設置された伝動チャンバ３６を含み、前記伝動チャンバ３６の中には主動プーリ３７が回転できるように設置され、前記主動プーリ３７の相対した一端には回転軸３８が固定的に連結され、左右両側の前記回転軸３８の互いに近接している一端が前記回転ロッド１６に固定的に連結され、前記伝動チャンバ３６の下側にはプーリチャンバ３９が連通するように設置され、前記プーリチャンバ３９の中には従動プーリ４０が回転できるように設置され、前記従動プーリ４０と前記主動プーリ３７との間には伝動ベルト４１が巻き付くように設置され、前記従動プーリ４０のうちメガネの中心から離れている一端には伝動軸４２が固定的に連結され、前記伝動軸４２の一端が前記揺れロッド３４の軸心のところに固定的に連結され、
前記制御装置１０３によって前記回転ロッド１６と前記揺れロッド３４とを同期に制御することができる。 
【００１５】
有益なように、右側の前記主動プーリ３７の右端には従動傘歯車４３が固定的に連結され、前記従動傘歯車４３の後端には前記従動傘歯車４３自身と噛み合っている主動傘歯車４４が設置され、前記主動傘歯車４４の後端には平歯車４５が固定的に設置され、前記平歯車４５の上側には右側の前記伝動チャンバ３６の上壁にスライドできるように連結されたラック４６が噛み合うように設置され、右側の前記伝動チャンバ３６の上側には上方に開口したスライドガイドチャンバ４７が連通するように設置され、前記スライドガイドチャンバ４７の中には前記ラック４６の上端に固定的に連結されたスライドガイドブロック４８がスライドできるように設置され、前記スライドガイドブロック４８の上端が外部空間に伸びており、また前記スライドガイドブロック４８の上端には制御板４９が固定的に連結され、 
前記制御板４９を左方へ移動させると汗を吹き飛ばす作動モードが始動され、前記制御板４９を右方へ移動させると霧を除去する作動モードが始動される。 
【００１６】
初期状態にある時、止め板２５がエアインレット２７と風集めチャンバ２８とを切り離しており、バルブプレート１７が霧除去通路２１と吹出口２０とをそれぞれ通口２２から切り離しており、制御板４９が中間に位置している。 
【００１７】
汗を吹き飛ばす時、制御板４９を左方へ移動させ、またスライドガイドブロック４８によってラック４６を左方へ移動連動させ、歯状の噛み合いによって平歯車４５と主動傘歯車４４とを回転連動させ、歯車の噛み合いによって従動傘歯車４３を回転連動させ、また右側の主動プーリ３７を回転連動させ、右側の回転軸３８によって回転ロッド１６を連動させて時計回り方向へ百二十度回転させ、また左側の回転軸３８によって左側の主動プーリ３７を回転連動させ、この時に通風チャンバ１８を設置したバルブプレート１７が前側に反転し、通風チャンバ１８が吹出口２０と通口２２とを連通し、主動プーリ３７が伝動ベルト４１によって従動プーリ４０を回転連動させ、伝動軸４２によって揺れロッド３４を九十度反転連動させ、スライドロッド３５によって止め板２５を連動させて前方へ通風口２６とエアインレット２７との開口を突き合わせるまで移動させ、スポーツをする時、風がエアインレット２７から流れ込み、通風口２６によって風集めチャンバ２８の中に流れ込み、管通路２３と通口２２とによってバルブチャンバ１５の中に流れ込み、通風チャンバ１８と吹出口２０とによって吹き出されて額の汗を吹き飛ばし、霧を除去する時、制御板４９を右方へ移動させ、この時に回転ロッド１６が百二十度反転し、風ガイドチャンバ１９が下方に向き、且つ霧除去通路２１と連通し、この時に揺れロッド３４が九十度反転し、且つ止め板２５を前方へ移動連動させ、伸縮板３０が加熱板３１を連動させて前方へ風集めチャンバ２８の中で空気を一定の程度に加熱するまで移動させ、この時に熱い空気がバルブチャンバ１５の中に流れ込み、霧除去通路２１によってレンズ１３の前後両側を加熱してそれに付いた霧を除去する。 
【００１８】
本発明の有益な効果は：本発明は構成が簡単で、操作が便利であり、本発明によってスポーツをして汗が出た時に額に風を吹き付け、汗が目の中に流れ込んで運動に影響することを回避でき、それと同時に寒い天気にメガネに付いた霧を除去してクリアなビジョンを保証できる。 
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
正面視で、フレームを含み、前記フレームの中にはレンズチャンバが左右対称的に、且つ前後に貫通するように設置され、前記レンズチャンバの中にはレンズが固定的に設置され、前記フレームの前端にはゴム紐が設置され、前記レンズチャンバの上側には風吹付け装置が設置され、前記レンズチャンバのうちメガネの中心から離れている側には空気入り装置が設置され、前記空気入り装置の前端には制御装置が設置され、前記制御装置によって前記風吹付け装置と前記空気入り装置とを手動で調節することができ、前記風吹付け装置は前記レンズに付いた霧を除去することができ、また額に付いた汗をそばに吹き、汗が目の中に流れ込むことを避け、前記空気入り装置は運動する時に生じた向かい風を利用して汗の流れを導き、また前記風吹付け装置に風力を提供し、前記風吹付け装置は前記レンズチャンバの上側に設置されたバルブチャンバを含み、前記バルブチャンバの中には回転ロッドが回転できるように設置され、前記回転ロッドの外側端面には三つのバルブプレートが排列するように、且つ固定的に設置され、三つのうちの一つの前記バルブプレートには通風チャンバが貫通するように設置され、他の二つの前記バルブプレートの相対した片側端面には前記回転ロッドから離れている方向に開口した風ガイドチャンバが設置され、前記バルブチャンバの上側のうち前方に位置している内壁には上方に開口した吹出口が連通するように設置され、前記バルブチャンバの下側には前記レンズチャンバに連通している霧除去通路が前後対称的に、且つ連通するように設置され、前記バルブチャンバの下側の中間部には通口が連通するように設置され、前記通口の下側には管通路が連通するように設置され、前記管通路の左右両端が前記空気入り装置に連通しており、  
前記回転ロッドを回転させることによって、各前記バルブプレートの位置を調整し、風の流れ方向を変えられることを特徴とするスポーツ用メガネ。  
【請求項２】
前記空気入り装置は前記フレームの中に左右対称的に設置された止め板チャンバを含み、前記止め板チャンバの中には止め板がスライドできるように設置され、前記止め板の中には通風口が左右に貫通するように設置され、前記止め板チャンバのうちメガネの中心から離れている側には前記通風口と連通することができるエアインレットが設置され、前記止め板チャンバのうちメガネの中心から近接している側には風集めチャンバが連通するように設置され、前記管通路が前記風集めチャンバの後壁に連通しており、前記風集めチャンバの後壁且つ前記管通路のうちメガネの中心から離れている側に位置しているところには前記止め板チャンバに連通している伸縮チャンバが連通するように設置され、前記伸縮チャンバの中には前記止め板に固定的に連結された伸縮板がスライドできるように設置され、前記伸縮板の前端には加熱板が固定的に設置され、前記加熱板は発熱することができ、前記止め板チャンバの後側には揺れロッドチャンバが連通するように設置され、前記止め板の後端が前記揺れロッドチャンバの中に伸びており、また前記止め板の後端にはメガネの中心に向いて開口したスライド溝が設置され、前記揺れロッドチャンバの中には揺れロッドが回転できるように設置され、前記揺れロッドの軸心のところには前記スライド溝の内壁にスライドできるように連結されたスライドロッドが固定的に設置され、  
前記止め板を後方へ移動させると汗を吹き飛ばす作動モードが始動され、前記止め板を前方へ移動させると霧を除去する作動モードが始動されることを特徴とする請求項１に記載のスポーツ用メガネ。  
【請求項３】
前記制御装置は前記バルブチャンバの左右両側に対称的に設置された伝動チャンバを含み、前記伝動チャンバの中には主動プーリが回転できるように設置され、前記主動プーリの相対した一端には回転軸が固定的に連結され、左右両側の前記回転軸の互いに近接している一端が前記回転ロッドに固定的に連結され、前記伝動チャンバの下側にはプーリチャンバが連通するように設置され、前記プーリチャンバの中には従動プーリが回転できるように設置され、前記従動プーリと前記主動プーリとの間には伝動ベルトが巻き付くように設置され、前記従動プーリのうちメガネの中心から離れている一端には伝動軸が固定的に連結され、前記伝動軸の一端が前記揺れロッドの軸心のところに固定的に連結され、  
前記制御装置によって前記回転ロッドと前記揺れロッドとを同期に制御することができることを特徴とする請求項２に記載のスポーツ用メガネ。  
【請求項４】
右側の前記主動プーリの右端には従動傘歯車が固定的に連結され、前記従動傘歯車の後端には前記従動傘歯車自身と噛み合っている主動傘歯車が設置され、前記主動傘歯車の後端には平歯車が固定的に設置され、前記平歯車の上側には右側の前記伝動チャンバの上壁にスライドできるように連結されたラックが噛み合うように設置され、右側の前記伝動チャンバの上側には上方に開口したスライドガイドチャンバが連通するように設置され、前記スライドガイドチャンバの中には前記ラックの上端に固定的に連結されたスライドガイドブロックがスライドできるように設置され、前記スライドガイドブロックの上端が外部空間に伸びており、また前記スライドガイドブロックの上端には制御板が固定的に連結され、
前記制御板を左方へ移動させると汗を吹き飛ばす作動モードが始動され、前記制御板を右方へ移動させると霧を除去する作動モードが始動されることを特徴とする請求項３に記載のスポーツ用メガネ。
【手続補正２】
【補正対象書類名】明細書
【補正対象項目名】全文
【補正方法】変更
【補正の内容】
【発明の詳細な説明】
【技術分野】
【０００１】
本発明はメガネ技術分野に関わり、具体的にはスポーツ用メガネである。  
【背景技術】
【０００２】
スポーツ用メガネは運動する時に安定的に耳に付けられると同時に、目を保護できる作用を果たしており、しかし、運動中、メガネに霧が出ること又は汗が目に流れ込むことにより視線に影響することを避けられなく、従って、スポーツ用メガネが十分に必要となり、本発明は運動する時に生じた向かい風を利用して額の汗を吹き飛ばし、またメガネを加熱してそれに付いた霧を除去することができる。  
【先行技術文献】
【特許文献】
【０００３】
【特許文献１】中国特許出願公開第１０６１２５３４２号明細書
【発明の概要】
【発明が解決しようとする課題】
【０００４】
本発明はスポーツ用メガネを提供し、既存技術にある上記欠点を解消することを目的とする。
【課題を解決するための手段】
【０００５】
本発明の実施例のスポーツ用メガネは、フレームを含み、前記フレームの中にはレンズチャンバが左右対称的に、且つ前後に貫通するように設置され、前記レンズチャンバの中にはレンズが固定的に設置され、前記フレームの前端にはゴム紐が設置され、前記レンズチャンバの上側には風吹付け装置が設置され、前記レンズチャンバのうちメガネの中心から離れている側には空気入り装置が設置され、前記空気入り装置の前端には制御装置が設置され、前記制御装置によって前記風吹付け装置と前記空気入り装置とを手動で調節することができ、前記風吹付け装置は前記レンズに付いた霧を除去することができ、また額に付いた汗をそばに吹き、汗が目の中に流れ込むことを避け、前記空気入り装置は運動する時に生じた向かい風を利用して汗の流れを導き、また前記風吹付け装置に風力を提供し、前記風吹付け装置は前記レンズチャンバの上側に設置されたバルブチャンバを含み、前記バルブチャンバの中には回転ロッドが回転できるように設置され、前記回転ロッドの外側端面には三つのバルブプレートが排列するように、且つ固定的に設置され、三つのうちの一つの前記バルブプレートには通風チャンバが貫通するように設置され、他の二つの前記バルブプレートの相対した片側端面には前記回転ロッドから離れている方向に開口した風ガイドチャンバが設置され、前記バルブチャンバの上側のうち前方に位置している内壁には上方に開口した吹出口が連通するように設置され、前記バルブチャンバの下側には前記レンズチャンバに連通している霧除去通路が前後対称的に、且つ連通するように設置され、前記バルブチャンバの下側の中間部には通口が連通するように設置され、前記通口の下側には管通路が連通するように設置され、前記管通路の左右両端が前記空気入り装置に連通しており、
前記回転ロッドを回転させることによって、各前記バルブプレートの位置を調整し、風の流れ方向を変えられる。  
【０００６】
さらなる技術プランには、前記空気入り装置は前記フレームの中に左右対称的に設置された止め板チャンバを含み、前記止め板チャンバの中には止め板がスライドできるように設置され、前記止め板の中には通風口が左右に貫通するように設置され、前記止め板チャンバのうちメガネの中心から離れている側には前記通風口と連通することができるエアインレットが設置され、前記止め板チャンバのうちメガネの中心から近接している側には風集めチャンバが連通するように設置され、前記管通路が前記風集めチャンバの後壁に連通しており、前記風集めチャンバの後壁且つ前記管通路のうちメガネの中心から離れている側に位置しているところには前記止め板チャンバに連通している伸縮チャンバが連通するように設置され、前記伸縮チャンバの中には前記止め板に固定的に連結された伸縮板がスライドできるように設置され、前記伸縮板の前端には加熱板が固定的に設置され、前記加熱板は発熱することができ、前記止め板チャンバの後側には揺れロッドチャンバが連通するように設置され、前記止め板の後端が前記揺れロッドチャンバの中に伸びており、また前記止め板の後端にはメガネの中心に向いて開口したスライド溝が設置され、前記揺れロッドチャンバの中には揺れロッドが回転できるように設置され、前記揺れロッドの軸心のところには前記スライド溝の内壁にスライドできるように連結されたスライドロッドが固定的に設置され、  
前記止め板を後方へ移動させると汗を吹き飛ばす作動モードが始動され、前記止め板を前方へ移動させると霧を除去する作動モードが始動される。  
【０００７】
さらなる技術プランには、前記制御装置は前記バルブチャンバの左右両側に対称的に設置された伝動チャンバを含み、前記伝動チャンバの中には主動プーリが回転できるように設置され、前記主動プーリの相対した一端には回転軸が固定的に連結され、左右両側の前記回転軸の互いに近接している一端が前記回転ロッドに固定的に連結され、前記伝動チャンバの下側にはプーリチャンバが連通するように設置され、前記プーリチャンバの中には従動プーリが回転できるように設置され、前記従動プーリと前記主動プーリとの間には伝動ベルトが巻き付くように設置され、前記従動プーリのうちメガネの中心から離れている一端には伝動軸が固定的に連結され、前記伝動軸の一端が前記揺れロッドの軸心のところに固定的に連結され、  
前記制御装置によって前記回転ロッドと前記揺れロッドとを同期に制御することができる。
【０００８】
さらなる技術プランには、右側の前記主動プーリの右端には従動傘歯車が固定的に連結され、前記従動傘歯車の後端には前記従動傘歯車自身と噛み合っている主動傘歯車が設置され、前記主動傘歯車の後端には平歯車が固定的に設置され、前記平歯車の上側には右側の前記伝動チャンバの上壁にスライドできるように連結されたラックが噛み合うように設置され、右側の前記伝動チャンバの上側には上方に開口したスライドガイドチャンバが連通するように設置され、前記スライドガイドチャンバの中には前記ラックの上端に固定的に連結されたスライドガイドブロックがスライドできるように設置され、前記スライドガイドブロックの上端が外部空間に伸びており、また前記スライドガイドブロックの上端には制御板が固定的に連結され、  
前記制御板を左方へ移動させると汗を吹き飛ばす作動モードが始動され、前記制御板を右方へ移動させると霧を除去する作動モードが始動される。  
【発明の効果】
【０００９】
本発明の有益な効果は：本発明は構成が簡単で、操作が便利であり、本発明によってスポーツをして汗が出た時に額に風を吹き付け、汗が目の中に流れ込んで運動に影響することを回避でき、それと同時に寒い天気にメガネに付いた霧を除去してクリアなビジョンを保証できる。  
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１１】
【図１】図１は本発明のスポーツ用メガネの内部全体の構成概略図
【図２】図２は図１の中の「Ａ―Ａ」方向の構成概略図
【図３】図３は図１の中の「Ｂ―Ｂ」方向の構成概略図
【図４】図４は図３の汗を吹き飛ばす作動モードの作動状態下の構成概略図
【図５】図５は図３の霧を除去する作動モードの作動状態下の構成概略図
【図６】図６は図１の中の「Ｃ」の拡大概略図
【図７】図７は図２の中の「Ｄ」の拡大概略図
【発明を実施するための形態】
【００１２】
図１〜７を参照し、本発明の実施例のスポーツ用メガネは、フレーム１１を含み、前記フレーム１１の中にはレンズチャンバ１２が左右対称的に、且つ前後に貫通するように設置され、前記レンズチャンバ１２の中にはレンズ１３が固定的に設置され、前記フレーム１１の前端にはゴム紐１４が設置され、前記レンズチャンバ１２の上側には風吹付け装置１０１が設置され、前記レンズチャンバ１２のうちメガネの中心から離れている側には空気入り装置１０２が設置され、前記空気入り装置１０２の前端には制御装置１０３が設置され、前記制御装置１０３によって前記風吹付け装置１０１と前記空気入り装置１０２とを手動で調節することができ、前記風吹付け装置１０１は前記レンズ１３に付いた霧を除去することができ、また額に付いた汗をそばに吹き、汗が目の中に流れ込むことを避け、前記空気入り装置１０２は運動する時に生じた向かい風を利用して汗の流れを導き、また前記風吹付け装置１０１に風力を提供し、前記風吹付け装置１０１は前記レンズチャンバ１２の上側に設置されたバルブチャンバ１５を含み、前記バルブチャンバ１５の中には回転ロッド１６が回転できるように設置され、前記回転ロッド１６の外側端面には三つのバルブプレート１７が排列するように、且つ固定的に設置され、三つのうちの一つの前記バルブプレート１７には通風チャンバ１８が貫通するように設置され、他の二つの前記バルブプレート１７の相対した片側端面には前記回転ロッド１６から離れている方向に開口した風ガイドチャンバ１９が設置され、前記バルブチャンバ１５の上側のうち前方に位置している内壁には上方に開口した吹出口２０が連通するように設置され、前記バルブチャンバ１５の下側には前記レンズチャンバ１２に連通している霧除去通路２１が前後対称的に、且つ連通するように設置され、前記バルブチャンバ１５の下側の中間部には通口２２が連通するように設置され、前記通口２２の下側には管通路２３が連通するように設置され、前記管通路２３の左右両端が前記空気入り装置１０２に連通しており、  
前記回転ロッド１６を回転させることによって、各前記バルブプレート１７の位置を調整し、風の流れ方向を変えられる。  
【００１３】
有益なように、前記空気入り装置１０２は前記フレーム１１の中に左右対称的に設置された止め板チャンバ２４を含み、前記止め板チャンバ２４の中には止め板２５がスライドできるように設置され、前記止め板２５の中には通風口２６が左右に貫通するように設置され、前記止め板チャンバ２４のうちメガネの中心から離れている側には前記通風口２６と連通することができるエアインレット２７が設置され、前記止め板チャンバ２４のうちメガネの中心から近接している側には風集めチャンバ２８が連通するように設置され、前記管通路２３が前記風集めチャンバ２８の後壁に連通しており、前記風集めチャンバ２８の後壁且つ前記管通路２３のうちメガネの中心から離れている側に位置しているところには前記止め板チャンバ２４に連通している伸縮チャンバ２９が連通するように設置され、前記伸縮チャンバ２９の中には前記止め板２５に固定的に連結された伸縮板３０がスライドできるように設置され、前記伸縮板の前端には加熱板３１が固定的に設置され、前記加熱板３１は発熱することができ、前記止め板チャンバ２４の後側には揺れロッドチャンバ３２が連通するように設置され、前記止め板２５の後端が前記揺れロッドチャンバ３２の中に伸びており、また前記止め板２５の後端にはメガネの中心に向いて開口したスライド溝３３が設置され、前記揺れロッドチャンバ３２の中には揺れロッド３４が回転できるように設置され、前記揺れロッド３４の軸心のところには前記スライド溝３３の内壁にスライドできるように連結されたスライドロッド３５が固定的に設置され、  
前記止め板２５を後方へ移動させると汗を吹き飛ばす作動モードが始動され、前記止め板２５を前方へ移動させると霧を除去する作動モードが始動される。  
【００１４】
有益なように、前記制御装置１０３は前記バルブチャンバ１５の左右両側に対称的に設置された伝動チャンバ３６を含み、前記伝動チャンバ３６の中には主動プーリ３７が回転できるように設置され、前記主動プーリ３７の相対した一端には回転軸３８が固定的に連結され、左右両側の前記回転軸３８の互いに近接している一端が前記回転ロッド１６に固定的に連結され、前記伝動チャンバ３６の下側にはプーリチャンバ３９が連通するように設置され、前記プーリチャンバ３９の中には従動プーリ４０が回転できるように設置され、前記従動プーリ４０と前記主動プーリ３７との間には伝動ベルト４１が巻き付くように設置され、前記従動プーリ４０のうちメガネの中心から離れている一端には伝動軸４２が固定的に連結され、前記伝動軸４２の一端が前記揺れロッド３４の軸心のところに固定的に連結され、
前記制御装置１０３によって前記回転ロッド１６と前記揺れロッド３４とを同期に制御することができる。  
【００１５】
有益なように、右側の前記主動プーリ３７の右端には従動傘歯車４３が固定的に連結され、前記従動傘歯車４３の後端には前記従動傘歯車４３自身と噛み合っている主動傘歯車４４が設置され、前記主動傘歯車４４の後端には平歯車４５が固定的に設置され、前記平歯車４５の上側には右側の前記伝動チャンバ３６の上壁にスライドできるように連結されたラック４６が噛み合うように設置され、右側の前記伝動チャンバ３６の上側には上方に開口したスライドガイドチャンバ４７が連通するように設置され、前記スライドガイドチャンバ４７の中には前記ラック４６の上端に固定的に連結されたスライドガイドブロック４８がスライドできるように設置され、前記スライドガイドブロック４８の上端が外部空間に伸びており、また前記スライドガイドブロック４８の上端には制御板４９が固定的に連結され、  
前記制御板４９を左方へ移動させると汗を吹き飛ばす作動モードが始動され、前記制御板４９を右方へ移動させると霧を除去する作動モードが始動される。  
【００１６】
初期状態にある時、止め板２５がエアインレット２７と風集めチャンバ２８とを切り離しており、バルブプレート１７が霧除去通路２１と吹出口２０とをそれぞれ通口２２から切り離しており、制御板４９が中間に位置している。  
【００１７】
汗を吹き飛ばす時、制御板４９を左方へ移動させ、またスライドガイドブロック４８によってラック４６を左方へ移動連動させ、歯状の噛み合いによって平歯車４５と主動傘歯車４４とを回転連動させ、歯車の噛み合いによって従動傘歯車４３を回転連動させ、また右側の主動プーリ３７を回転連動させ、右側の回転軸３８によって回転ロッド１６を連動させて時計回り方向へ百二十度回転させ、また左側の回転軸３８によって左側の主動プーリ３７を回転連動させ、この時に通風チャンバ１８を設置したバルブプレート１７が前側に反転し、通風チャンバ１８が吹出口２０と通口２２とを連通し、主動プーリ３７が伝動ベルト４１によって従動プーリ４０を回転連動させ、伝動軸４２によって揺れロッド３４を九十度反転連動させ、スライドロッド３５によって止め板２５を連動させて前方へ通風口２６とエアインレット２７との開口を突き合わせるまで移動させ、スポーツをする時、風がエアインレット２７から流れ込み、通風口２６によって風集めチャンバ２８の中に流れ込み、管通路２３と通口２２とによってバルブチャンバ１５の中に流れ込み、通風チャンバ１８と吹出口２０とによって吹き出されて額の汗を吹き飛ばし、霧を除去する時、制御板４９を右方へ移動させ、この時に回転ロッド１６が百二十度反転し、風ガイドチャンバ１９が下方に向き、且つ霧除去通路２１と連通し、この時に揺れロッド３４が九十度反転し、且つ止め板２５を前方へ移動連動させ、伸縮板３０が加熱板３１を連動させて前方へ風集めチャンバ２８の中で空気を一定の程度に加熱するまで移動させ、この時に熱い空気がバルブチャンバ１５の中に流れ込み、霧除去通路２１によってレンズ１３の前後両側を加熱してそれに付いた霧を除去する。  
【００１８】
本発明の有益な効果は：本発明は構成が簡単で、操作が便利であり、本発明によってスポーツをして汗が出た時に額に風を吹き付け、汗が目の中に流れ込んで運動に影響することを回避でき、それと同時に寒い天気にメガネに付いた霧を除去してクリアなビジョンを保証できる。  
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
正面視で、フレームを含み、前記フレームの中にはレンズチャンバが左右対称的に、且つ前後に貫通するように設置され、前記レンズチャンバの中にはレンズが固定的に設置され、前記フレームの前端にはゴム紐が設置され、前記レンズチャンバの上側には風吹付け装置が設置され、前記レンズチャンバのうちメガネの中心から離れている側には空気入り装置が設置され、前記空気入り装置の後端には制御装置が設置され、前記制御装置によって前記風吹付け装置と前記空気入り装置とを手動で調節することができ、前記風吹付け装置は前記レンズに付いた霧を除去することができ、また額に付いた汗をそばに吹き、汗が目の中に流れ込むことを避け、前記空気入り装置は運動する時に生じた向かい風を利用して汗の流れを導き、また前記風吹付け装置に風力を提供し、前記風吹付け装置は前記レンズチャンバの上側に設置されたバルブチャンバを含み、前記バルブチャンバの中には回転ロッドが回転できるように設置され、前記回転ロッドの外側端面には三つのバルブプレートが排列するように、且つ固定的に設置され、三つのうちの一つの前記バルブプレートには通風チャンバが貫通するように設置され、他の二つの前記バルブプレートの相対した片側端面には前記回転ロッドから離れている方向に開口した風ガイドチャンバが設置され、前記バルブチャンバの上側のうち後方に位置している内壁には上方に開口した吹出口が連通するように設置され、前記バルブチャンバの下側には前記レンズチャンバに連通している霧除去通路が前後対称的に、且つ連通するように設置され、前記バルブチャンバの下側の中間部には通口が連通するように設置され、前記通口の下側には管通路が連通するように設置され、前記管通路の左右両端が前記空気入り装置に連通しており、  
前記回転ロッドを回転させることによって、各前記バルブプレートの位置を調整し、風の流れ方向を変えられることを特徴とするスポーツ用メガネ。  
【請求項２】
前記空気入り装置は前記フレームの中に左右対称的に設置された止め板チャンバを含み、前記止め板チャンバの中には止め板がスライドできるように設置され、前記止め板の中には通風口が左右に貫通するように設置され、前記止め板チャンバのうちメガネの中心から離れている側には前記通風口と連通することができるエアインレットが設置され、前記止め板チャンバのうちメガネの中心から近接している側には風集めチャンバが連通するように設置され、前記管通路が前記風集めチャンバの後壁に連通しており、前記風集めチャンバの後壁且つ前記管通路のうちメガネの中心から離れている側に位置しているところには前記止め板チャンバに連通している伸縮チャンバが連通するように設置され、前記伸縮チャンバの中には前記止め板に固定的に連結された伸縮板がスライドできるように設置され、前記伸縮板の前端には加熱板が固定的に設置され、前記加熱板は発熱することができ、前記止め板チャンバの後側には揺れロッドチャンバが連通するように設置され、前記止め板の後端が前記揺れロッドチャンバの中に伸びており、また前記止め板の後端にはメガネの中心に向いて開口したスライド溝が設置され、前記揺れロッドチャンバの中には揺れロッドが回転できるように設置され、前記揺れロッドの軸心のところには前記スライド溝の内壁にスライドできるように連結されたスライドロッドが固定的に設置され、  
前記止め板を後方へ移動させると汗を吹き飛ばす作動モードが始動され、前記止め板を前方へ移動させると霧を除去する作動モードが始動されることを特徴とする請求項１に記載のスポーツ用メガネ。  
【請求項３】
前記制御装置は前記バルブチャンバの左右両側に対称的に設置された伝動チャンバを含み、前記伝動チャンバの中には主動プーリが回転できるように設置され、前記主動プーリの相対した一端には回転軸が固定的に連結され、左右両側の前記回転軸の互いに近接している一端が前記回転ロッドに固定的に連結され、前記伝動チャンバの下側にはプーリチャンバが連通するように設置され、前記プーリチャンバの中には従動プーリが回転できるように設置され、前記従動プーリと前記主動プーリとの間には伝動ベルトが巻き付くように設置され、前記従動プーリのうちメガネの中心から離れている一端には伝動軸が固定的に連結され、前記伝動軸の一端が前記揺れロッドの軸心のところに固定的に連結され、  
前記制御装置によって前記回転ロッドと前記揺れロッドとを同期に制御することができることを特徴とする請求項２に記載のスポーツ用メガネ。  
【請求項４】
右側の前記主動プーリの右端には従動傘歯車が固定的に連結され、前記従動傘歯車の前端には前記従動傘歯車自身と噛み合っている主動傘歯車が設置され、前記主動傘歯車の前端には平歯車が固定的に設置され、前記平歯車の上側には右側の前記伝動チャンバの上壁にスライドできるように連結されたラックが噛み合うように設置され、右側の前記伝動チャンバの上側には上方に開口したスライドガイドチャンバが連通するように設置され、前記スライドガイドチャンバの中には前記ラックの上端に固定的に連結されたスライドガイドブロックがスライドできるように設置され、前記スライドガイドブロックの上端が外部空間に伸びており、また前記スライドガイドブロックの上端には制御板が固定的に連結され、
前記制御板を左方へ移動させると汗を吹き飛ばす作動モードが始動され、前記制御板を右方へ移動させると霧を除去する作動モードが始動されることを特徴とする請求項３に記載のスポーツ用メガネ。
【手続補正２】
【補正対象書類名】明細書
【補正対象項目名】全文
【補正方法】変更
【補正の内容】
【発明の詳細な説明】
【技術分野】
【０００１】
本発明はメガネ技術分野に関わり、具体的にはスポーツ用メガネである。  
【背景技術】
【０００２】
スポーツ用メガネは運動する時に安定的に耳に付けられると同時に、目を保護できる作用を果たしており、しかし、運動中、メガネに霧が出ること又は汗が目に流れ込むことにより視線に影響することを避けられなく、従って、スポーツ用メガネが十分に必要となり、本発明は運動する時に生じた向かい風を利用して額の汗を吹き飛ばし、またメガネを加熱してそれに付いた霧を除去することができる。  
【先行技術文献】
【特許文献】
【０００３】
【特許文献１】中国特許出願公開第１０６１２５３４２号明細書
【発明の概要】
【発明が解決しようとする課題】
【０００４】
本発明はスポーツ用メガネを提供し、既存技術にある上記欠点を解消することを目的とする。
【課題を解決するための手段】
【０００５】
本発明の実施例のスポーツ用メガネは、フレームを含み、前記フレームの中にはレンズチャンバが左右対称的に、且つ前後に貫通するように設置され、前記レンズチャンバの中にはレンズが固定的に設置され、前記フレームの前端にはゴム紐が設置され、前記レンズチャンバの上側には風吹付け装置が設置され、前記レンズチャンバのうちメガネの中心から離れている側には空気入り装置が設置され、前記空気入り装置の後端には制御装置が設置され、前記制御装置によって前記風吹付け装置と前記空気入り装置とを手動で調節することができ、前記風吹付け装置は前記レンズに付いた霧を除去することができ、また額に付いた汗をそばに吹き、汗が目の中に流れ込むことを避け、前記空気入り装置は運動する時に生じた向かい風を利用して汗の流れを導き、また前記風吹付け装置に風力を提供し、前記風吹付け装置は前記レンズチャンバの上側に設置されたバルブチャンバを含み、前記バルブチャンバの中には回転ロッドが回転できるように設置され、前記回転ロッドの外側端面には三つのバルブプレートが排列するように、且つ固定的に設置され、三つのうちの一つの前記バルブプレートには通風チャンバが貫通するように設置され、他の二つの前記バルブプレートの相対した片側端面には前記回転ロッドから離れている方向に開口した風ガイドチャンバが設置され、前記バルブチャンバの上側のうち後方に位置している内壁には上方に開口した吹出口が連通するように設置され、前記バルブチャンバの下側には前記レンズチャンバに連通している霧除去通路が前後対称的に、且つ連通するように設置され、前記バルブチャンバの下側の中間部には通口が連通するように設置され、前記通口の下側には管通路が連通するように設置され、前記管通路の左右両端が前記空気入り装置に連通しており、
前記回転ロッドを回転させることによって、各前記バルブプレートの位置を調整し、風の流れ方向を変えられる。  
【０００６】
さらなる技術プランには、前記空気入り装置は前記フレームの中に左右対称的に設置された止め板チャンバを含み、前記止め板チャンバの中には止め板がスライドできるように設置され、前記止め板の中には通風口が左右に貫通するように設置され、前記止め板チャンバのうちメガネの中心から離れている側には前記通風口と連通することができるエアインレットが設置され、前記止め板チャンバのうちメガネの中心から近接している側には風集めチャンバが連通するように設置され、前記管通路が前記風集めチャンバの後壁に連通しており、前記風集めチャンバの後壁且つ前記管通路のうちメガネの中心から離れている側に位置しているところには前記止め板チャンバに連通している伸縮チャンバが連通するように設置され、前記伸縮チャンバの中には前記止め板に固定的に連結された伸縮板がスライドできるように設置され、前記伸縮板の前端には加熱板が固定的に設置され、前記加熱板は発熱することができ、前記止め板チャンバの後側には揺れロッドチャンバが連通するように設置され、前記止め板の後端が前記揺れロッドチャンバの中に伸びており、また前記止め板の後端にはメガネの中心に向いて開口したスライド溝が設置され、前記揺れロッドチャンバの中には揺れロッドが回転できるように設置され、前記揺れロッドの軸心のところには前記スライド溝の内壁にスライドできるように連結されたスライドロッドが固定的に設置され、  
前記止め板を後方へ移動させると汗を吹き飛ばす作動モードが始動され、前記止め板を前方へ移動させると霧を除去する作動モードが始動される。  
【０００７】
さらなる技術プランには、前記制御装置は前記バルブチャンバの左右両側に対称的に設置された伝動チャンバを含み、前記伝動チャンバの中には主動プーリが回転できるように設置され、前記主動プーリの相対した一端には回転軸が固定的に連結され、左右両側の前記回転軸の互いに近接している一端が前記回転ロッドに固定的に連結され、前記伝動チャンバの下側にはプーリチャンバが連通するように設置され、前記プーリチャンバの中には従動プーリが回転できるように設置され、前記従動プーリと前記主動プーリとの間には伝動ベルトが巻き付くように設置され、前記従動プーリのうちメガネの中心から離れている一端には伝動軸が固定的に連結され、前記伝動軸の一端が前記揺れロッドの軸心のところに固定的に連結され、  
前記制御装置によって前記回転ロッドと前記揺れロッドとを同期に制御することができる。
【０００８】
さらなる技術プランには、右側の前記主動プーリの右端には従動傘歯車が固定的に連結され、前記従動傘歯車の前端には前記従動傘歯車自身と噛み合っている主動傘歯車が設置され、前記主動傘歯車の前端には平歯車が固定的に設置され、前記平歯車の上側には右側の前記伝動チャンバの上壁にスライドできるように連結されたラックが噛み合うように設置され、右側の前記伝動チャンバの上側には上方に開口したスライドガイドチャンバが連通するように設置され、前記スライドガイドチャンバの中には前記ラックの上端に固定的に連結されたスライドガイドブロックがスライドできるように設置され、前記スライドガイドブロックの上端が外部空間に伸びており、また前記スライドガイドブロックの上端には制御板が固定的に連結され、  
前記制御板を左方へ移動させると汗を吹き飛ばす作動モードが始動され、前記制御板を右方へ移動させると霧を除去する作動モードが始動される。  
【発明の効果】
【０００９】
本発明の有益な効果は：本発明は構成が簡単で、操作が便利であり、本発明によってスポーツをして汗が出た時に額に風を吹き付け、汗が目の中に流れ込んで運動に影響することを回避でき、それと同時に寒い天気にメガネに付いた霧を除去してクリアなビジョンを保証できる。  
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１１】
【図１】図１は本発明のスポーツ用メガネの内部全体の構成概略図
【図２】図２は図１の中の「Ａ―Ａ」方向の構成概略図
【図３】図３は図１の中の「Ｂ―Ｂ」方向の構成概略図
【図４】図４は図３の汗を吹き飛ばす作動モードの作動状態下の構成概略図
【図５】図５は図３の霧を除去する作動モードの作動状態下の構成概略図
【図６】図６は図１の中の「Ｃ」の拡大概略図
【図７】図７は図２の中の「Ｄ」の拡大概略図
【発明を実施するための形態】
【００１２】
図１〜７を参照し、本発明の実施例のスポーツ用メガネは、フレーム１１を含み、前記フレーム１１の中にはレンズチャンバ１２が左右対称的に、且つ前後に貫通するように設置され、前記レンズチャンバ１２の中にはレンズ１３が固定的に設置され、前記フレーム１１の前端にはゴム紐１４が設置され、前記レンズチャンバ１２の上側には風吹付け装置１０１が設置され、前記レンズチャンバ１２のうちメガネの中心から離れている側には空気入り装置１０２が設置され、前記空気入り装置１０２の後端には制御装置１０３が設置され、前記制御装置１０３によって前記風吹付け装置１０１と前記空気入り装置１０２とを手動で調節することができ、前記風吹付け装置１０１は前記レンズ１３に付いた霧を除去することができ、また額に付いた汗をそばに吹き、汗が目の中に流れ込むことを避け、前記空気入り装置１０２は運動する時に生じた向かい風を利用して汗の流れを導き、また前記風吹付け装置１０１に風力を提供し、前記風吹付け装置１０１は前記レンズチャンバ１２の上側に設置されたバルブチャンバ１５を含み、前記バルブチャンバ１５の中には回転ロッド１６が回転できるように設置され、前記回転ロッド１６の外側端面には三つのバルブプレート１７が排列するように、且つ固定的に設置され、三つのうちの一つの前記バルブプレート１７には通風チャンバ１８が貫通するように設置され、他の二つの前記バルブプレート１７の相対した片側端面には前記回転ロッド１６から離れている方向に開口した風ガイドチャンバ１９が設置され、前記バルブチャンバ１５の上側のうち後方に位置している内壁には上方に開口した吹出口２０が連通するように設置され、前記バルブチャンバ１５の下側には前記レンズチャンバ１２に連通している霧除去通路２１が前後対称的に、且つ連通するように設置され、前記バルブチャンバ１５の下側の中間部には通口２２が連通するように設置され、前記通口２２の下側には管通路２３が連通するように設置され、前記管通路２３の左右両端が前記空気入り装置１０２に連通しており、  
前記回転ロッド１６を回転させることによって、各前記バルブプレート１７の位置を調整し、風の流れ方向を変えられる。  
【００１３】
有益なように、前記空気入り装置１０２は前記フレーム１１の中に左右対称的に設置された止め板チャンバ２４を含み、前記止め板チャンバ２４の中には止め板２５がスライドできるように設置され、前記止め板２５の中には通風口２６が左右に貫通するように設置され、前記止め板チャンバ２４のうちメガネの中心から離れている側には前記通風口２６と連通することができるエアインレット２７が設置され、前記止め板チャンバ２４のうちメガネの中心から近接している側には風集めチャンバ２８が連通するように設置され、前記管通路２３が前記風集めチャンバ２８の後壁に連通しており、前記風集めチャンバ２８の後壁且つ前記管通路２３のうちメガネの中心から離れている側に位置しているところには前記止め板チャンバ２４に連通している伸縮チャンバ２９が連通するように設置され、前記伸縮チャンバ２９の中には前記止め板２５に固定的に連結された伸縮板３０がスライドできるように設置され、前記伸縮板の前端には加熱板３１が固定的に設置され、前記加熱板３１は発熱することができ、前記止め板チャンバ２４の後側には揺れロッドチャンバ３２が連通するように設置され、前記止め板２５の後端が前記揺れロッドチャンバ３２の中に伸びており、また前記止め板２５の後端にはメガネの中心に向いて開口したスライド溝３３が設置され、前記揺れロッドチャンバ３２の中には揺れロッド３４が回転できるように設置され、前記揺れロッド３４の軸心のところには前記スライド溝３３の内壁にスライドできるように連結されたスライドロッド３５が固定的に設置され、  
前記止め板２５を後方へ移動させると汗を吹き飛ばす作動モードが始動され、前記止め板２５を前方へ移動させると霧を除去する作動モードが始動される。  
【００１４】
有益なように、前記制御装置１０３は前記バルブチャンバ１５の左右両側に対称的に設置された伝動チャンバ３６を含み、前記伝動チャンバ３６の中には主動プーリ３７が回転できるように設置され、前記主動プーリ３７の相対した一端には回転軸３８が固定的に連結され、左右両側の前記回転軸３８の互いに近接している一端が前記回転ロッド１６に固定的に連結され、前記伝動チャンバ３６の下側にはプーリチャンバ３９が連通するように設置され、前記プーリチャンバ３９の中には従動プーリ４０が回転できるように設置され、前記従動プーリ４０と前記主動プーリ３７との間には伝動ベルト４１が巻き付くように設置され、前記従動プーリ４０のうちメガネの中心から離れている一端には伝動軸４２が固定的に連結され、前記伝動軸４２の一端が前記揺れロッド３４の軸心のところに固定的に連結され、
前記制御装置１０３によって前記回転ロッド１６と前記揺れロッド３４とを同期に制御することができる。  
【００１５】
有益なように、右側の前記主動プーリ３７の右端には従動傘歯車４３が固定的に連結され、前記従動傘歯車４３の前端には前記従動傘歯車４３自身と噛み合っている主動傘歯車４４が設置され、前記主動傘歯車４４の前端には平歯車４５が固定的に設置され、前記平歯車４５の上側には右側の前記伝動チャンバ３６の上壁にスライドできるように連結されたラック４６が噛み合うように設置され、右側の前記伝動チャンバ３６の上側には上方に開口したスライドガイドチャンバ４７が連通するように設置され、前記スライドガイドチャンバ４７の中には前記ラック４６の上端に固定的に連結されたスライドガイドブロック４８がスライドできるように設置され、前記スライドガイドブロック４８の上端が外部空間に伸びており、また前記スライドガイドブロック４８の上端には制御板４９が固定的に連結され、  
前記制御板４９を左方へ移動させると汗を吹き飛ばす作動モードが始動され、前記制御板４９を右方へ移動させると霧を除去する作動モードが始動される。  
【００１６】
初期状態にある時、止め板２５がエアインレット２７と風集めチャンバ２８とを切り離しており、バルブプレート１７が霧除去通路２１と吹出口２０とをそれぞれ通口２２から切り離しており、制御板４９が中間に位置している。  
【００１７】
汗を吹き飛ばす時、制御板４９を左方へ移動させ、またスライドガイドブロック４８によってラック４６を左方へ移動連動させ、歯状の噛み合いによって平歯車４５と主動傘歯車４４とを回転連動させ、歯車の噛み合いによって従動傘歯車４３を回転連動させ、また右側の主動プーリ３７を回転連動させ、右側の回転軸３８によって回転ロッド１６を連動させて時計回り方向へ百二十度回転させ、また左側の回転軸３８によって左側の主動プーリ３７を回転連動させ、この時に通風チャンバ１８を設置したバルブプレート１７が前側に反転し、通風チャンバ１８が吹出口２０と通口２２とを連通し、主動プーリ３７が伝動ベルト４１によって従動プーリ４０を回転連動させ、伝動軸４２によって揺れロッド３４を九十度反転連動させ、スライドロッド３５によって止め板２５を連動させて前方へ通風口２６とエアインレット２７との開口を突き合わせるまで移動させ、スポーツをする時、風がエアインレット２７から流れ込み、通風口２６によって風集めチャンバ２８の中に流れ込み、管通路２３と通口２２とによってバルブチャンバ１５の中に流れ込み、通風チャンバ１８と吹出口２０とによって吹き出されて額の汗を吹き飛ばし、霧を除去する時、制御板４９を右方へ移動させ、この時に回転ロッド１６が百二十度反転し、風ガイドチャンバ１９が下方に向き、且つ霧除去通路２１と連通し、この時に揺れロッド３４が九十度反転し、且つ止め板２５を前方へ移動連動させ、伸縮板３０が加熱板３１を連動させて前方へ風集めチャンバ２８の中で空気を一定の程度に加熱するまで移動させ、この時に熱い空気がバルブチャンバ１５の中に流れ込み、霧除去通路２１によってレンズ１３の前後両側を加熱してそれに付いた霧を除去する。  
【００１８】
本発明の有益な効果は：本発明は構成が簡単で、操作が便利であり、本発明によってスポーツをして汗が出た時に額に風を吹き付け、汗が目の中に流れ込んで運動に影響することを回避でき、それと同時に寒い天気にメガネに付いた霧を除去してクリアなビジョンを保証できる。  
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。